【事件の表示】
　特願２００６−２０５６０３「スロット型光ファイバケーブル用光ファイバテープ心線の単心分離方法」拒絶査定不服審判事件〔平成１９年　３月　８日出願公開、特開２００７−　５８２０６〕について、次のとおり審決する。
【結　論】
　本件審判の請求は、成り立たない。
【理　由】
１　本願発明
　本願は、平成１８年７月２８日（優先権主張　平成１７年７月２８日）の出願であって、その請求項に係る発明（以下「本願発明」という。）は、平成２４年５月２日に補正された特許請求の範囲の請求項１に記載された次の事項により特定されるものと認められる。
　
「並列に配置された複数の光ファイバ心線の外周を一括被覆した一括被覆層を有するスロット型光ファイバケーブル用光ファイバテープ心線の単心分離方法であって、
　前記光ファイバ心線の外径をｄ、両端の光ファイバ心線のそれぞれの側面を垂直に通過する直線で横切る前記一括被覆層の厚さをt sideとするとき、
　　t side≧ｄ×２／３であり、
　該光ファイバテープ心線の横断面における相対する２つの長辺側に位置する一括被覆層の最小厚さが、３μｍ〜１５μｍの範囲内であり、
　前記一括被覆層はテープ用紫外線硬化型樹脂からなり、前記テープ用紫外線硬化型樹脂の引張破断強度が１０ＭＰａ〜９０ＭＰａの範囲内であり、
　前記光ファイバ心線は、その最外層に紫外線硬化型着色被覆層を有しており、前記光ファイバテープ心線の長さ約１０ｍｍの両端を把持して回転させたときに、前記紫外線硬化型着色被覆層と前記一括被覆層との間に剥離が発生する回転角が９０°以上３６０°未満である、
　スロット型光ファイバケーブル用光ファイバテープ心線を、
　前記光ファイバテープ心線の幅広の面の両方に荷重０．１〜２Ｎ／ｍｍ２で粒度がＪＩＳ　Ｒ６００１に規定する♯３２０から♯８００の範囲内である紙やすりを押圧し、前記光ファイバテープ心線を０．１〜５ｃｍ／ｓｅｃの速度で前記紙やすりに対して相対移動させることを特徴とするスロット型光ファイバケーブル用光ファイバテープ心線の単心分離方法。」
　
　なお、請求項１における「光ファイバ心線の外形」は「光ファイバ心線の外径」の誤記と認められるので、本願発明を上記のものとして認定した。
　　
２　刊行物の記載
（１）原査定の拒絶理由に引用された、本願の優先日前に頒布された刊行物である特開平９−１９７２１３号公報（以下「刊行物１」という。）には、次の記載がある（下線は、当審で付した。以下同じ。）。
　
「【０００１】
【発明の属する技術分野】本発明は、光ファイバテープ及び
光ファイバテープからの光ファイバ単心線の分離方法に関する
【０００２】
【従来の技術】この種の光ファイバテープとしては、図示省略しているが、最外被覆層が紫外線硬化樹脂からなる光ファイバ単心線の複数本を並列配置したうえ、これら光ファイバ単心線全体の外周囲を同種の紫外線硬化樹脂からなるテープ被覆層でもって一括的に外装した構造を有するものがある。
【０００３】
【発明が解決しようとする課題】ところで、光ファイバテープでは、システム構築などの都合上、複数本のうちから所要の光ファイバ単心線を分離したうえで取り出す必要が生じる。しかしながら、前記従来の光ファイバテープから光ファイバ単心線を分離する際には、光ファイバ単心線全体の外周囲上に形成されたテープ被覆層を引き裂いたうえで光ファイバ単心線を取り出さなければならず、特殊な工具を使用しながら手間を掛けてテープ被覆層を引き裂く必要があった。
【０００４】本発明は、これらの不都合に鑑みて創案されたものであって、光ファイバ単心線の取り出し性に優れた光ファイバテープと、この光ファイバテープから光ファイバ単心線を容易に取り出すことができる分離方法との提供を目的としている。」、
「【０００６】
【発明の実施の形態】以下、本発明の実施の形態を図面に基づいて説明する。
【０００７】図１は本実施の形態にかかる光ファイバテープの横断面構造を示す説明図であり、図中の符号１は光ファイバテープを示している。
【０００８】
本実施の形態にかかる光ファイバテープ１は、最外被覆層２ａが紫外線硬化樹脂からなる光ファイバ単心線２の複数本（図では、４本）を並列配置することによって構成されたものであり、これら光ファイバ単心線２全体の外周囲上には紫外線硬化樹脂製のテープ被覆層３が１μｍないし１５μｍ程度の厚みにわたって形成されている。
【０００９】すなわち、光ファイバ単心線２の最外被覆層２ａとなる紫外線硬化樹脂の有するヤング率が７０Ｋｇ／ｍｍ2 （ａｔ２３℃）程度であり、かつ、破断伸びが６０％程度である場合には、テープ被覆層３となる紫外線硬化樹脂の有するヤング率が２０Ｋｇ／ｍｍ2 （ａｔ２３℃）程度以下、破断伸びが４０％程度以下となるように調整されている。なお、紫外線硬化樹脂のヤング率を小さくするためには、この紫外線硬化樹脂に含まれるオリゴマーの分子量を引き上げて架橋点を減らすことになる。
【００１０】しかしながら、オリゴマーの分子量を引き上げた際には破断伸びが大きくなってしまうので、本実施の形態では、２つ以上の架橋点を有する架橋モノマーと、架橋点が１つの単官能モノマーとの配分比率をそれぞれ調整することによって紫外線硬化樹脂の破断伸びを小さくすることが行われている。すなわち、本実施の形態にかかる光ファイバテープ１のテープ被覆層３を形成する紫外線硬化樹脂では、オリゴマーと架橋モノマー及び単官能モノマーとの分子量をそれぞれ調整したうえで両者のバランスをとることによってヤング率及び破断伸びを同時的に小さくしているのである。
【００１１】そこで、この光ファイバテープ１における光ファイバ単心線２のそれぞれは、各光ファイバ単心線２の最外被覆層２ａよりもヤング率及び破断伸びが小さくて容易に引き裂かれ得るテープ被覆層３を用いることによって一体化されていることになり、テープ被覆層３を人手などで引き裂いたうえで所要の光ファイバ単心線２を取り出すことは極めて容易となる。なお、本実施の形態にかかる光ファイバテープ１からテープ被覆層３を引き裂くことによって取り出された光ファイバ単心線２に生じる伝送損失が１ｄＢ以下であることは、本発明の発明者らによって確認されている。
【００１２】ところで、
本実施の形態では、テープ被覆層３を人手でもって引き裂くことによって光ファイバ単心線２を分離したうえで取り出すとしているが、例えば、光ファイバ単心線２の分離に先立って紫外線硬化樹脂製のテープ被覆層３を予め所要範囲にわたって削り取っておくようにしてもよい。
テープ被覆層３を削り取るには、４００番ないし８００番程度のサンドペーパーを用いるのが簡易な手段である
　　
（２）同じく、特開２００３−３３７２６７号公報（以下「刊行物２」という。）には、次の記載がある。
　
「【０００１】
【発明の属する技術分野】本発明は、光ファイバケーブルに関し、さらに詳しくは、螺旋状の溝が形成されたスロットと、溝内に積層された複数のテープ型光ファイバ心線と、スロットの周囲を覆う押さえ巻きと、押さえ巻きの外側に被覆された外被層とを備えた光ファイバケーブルに関する。
【０００２】
【従来の技術】近年、光通信システムの需要が増加するにつれ、光伝送路である光ファイバケーブルを管路や屋外ラックに敷設することが多くなっている。一般に、管路や屋外ラック等の通信用基幹ルートに敷設される光ファイバケーブルには、図１２に示すようなテープスロット型の光ファイバケーブルが広く用いられている。
【０００３】図１２に示すように、
従来のテープスロット型の光ファイバケーブル５０は、中心にテンションメンバ５１を有するスロット５２の溝５３に、複数のテープ型光ファイバ心線６０が収納されている
　
（３）同じく、特開平６−３１３８２７号公報（以下「刊行物３」という。）には、次の記載がある。
　
「【特許請求の範囲】
【請求項１】  最外被覆層を有する光ファイバ素線を複数本並列させ一括被覆層により一体化した光ファイバテープ心線であって、前記光ファイバ素線の最外被覆層と一括被覆層との間の密着力が９０゜Ｔ−Ｐｅｅｌ強度で１０ｇ／ｃｍ以上であり、かつ前記
一括被覆層の破断強度が０．２ｋｇ／ｍｍ
2
以上２．５ｋｇ／ｍｍ
2
以下である
【発明の詳細な説明】
【０００１】
【産業上の利用分野】本発明は、単心分離可能な光ファイバテープ心線に関する。
【０００２】
【従来の技術】従来より光ファイバ素線を光ケーブル内に高密度に収納するために、複数本の光ファイバ素線をテープ状に一体化した光ファイバテープ心線を多数積層し、さらにこの積層体を複数個集合させ、これらを被覆して光ケーブルを構成する方法が行なわれている。このような光ケーブルにおいては、光ケーブルの多心−単心引き落としを行うために、図５に示すような単心分離可能な光ファイバテープ心線が用いられてきた。
【０００３】図５中符号１は、光ファイバテープ心線である。この光ファイバテープ心線１は、光ファイバ素線２を複数本平行に並べて紫外線硬化型樹脂などからなる一括被覆層３にて被覆してなるもので、その断面形状は平坦となっている。上記光ファイバ素線２は、光ファイバ裸線４の外周表面に一次被覆層５を形成し、さらにこれの外周表面に
着色紫外線硬化型樹脂からなる二次被覆層
　
（４）同じく、特開平４−１６６８０８号公報（以下「刊行物４」という。）には、次の記載がある。
　
「この発明は、複数本の光ファイバを被覆材で被覆し、テープ状に形成した光ファイバテープ心線に係り、光ファイバテープ心線のテープ厚を光ファイバの外径と同程度に薄型化し、かつ光ファイバテープ心線に捻回を加えることにより容易に分割が可能な薄型光ファイバテープ心線に関する。」（１頁左下欄１７行〜右上欄１行）、
「次に、これら実施例１ないし３、比較例１，２の各テープ心線を用い、第６図に示す捻回装置により、通常取り扱い時において加わるおそれのある捻回力として、ピッチが２００ｍｍの捻回を加えた。また
テープ心線を分割する際に加えられるファイバ破断に至らない程度の捻回力として、ピッチが３０ｍｍの捻回と、５０ｍｍ捻回を加えた
　
３　引用発明
　上記（１）によれば、刊行物１には、
「最外被覆層２ａが紫外線硬化樹脂からなる光ファイバ単心線２の複数本を並列配置し、これら光ファイバ単心線２全体の外周囲上に紫外線硬化樹脂製のテープ被覆層３が１μｍないし１５μｍ程度の厚みにわたって形成されている光ファイバテープ１からの光ファイバ単心線２の分離方法であって、
　４００番ないし８００番程度のサンドペーパーを用いて、紫外線硬化樹脂製のテープ被覆層３を予め所要範囲にわたって削り取った後に、テープ被覆層３を人手でもって引き裂くことによって光ファイバ単心線２を分離する光ファイバテープ１からの光ファイバ単心線２の分離方法」（以下「引用発明」という。）
が記載されているものと認められる。
　　　
４　対比
　本願発明と引用発明を対比する。
　
（１）引用発明の「光ファイバ単心線２」、「テープ被覆層３」及び「光ファイバテープ１」がそれぞれ、本願発明の「光ファイバ心線」、「一括被覆層」及び「光ファイバテープ心線」に相当するところであって、本願発明と引用発明は、ともに「並列に配置された複数の光ファイバ心線の外周を一括被覆した一括被覆層を有する光ファイバテープ心線の単心分離方法」である点で一致する。
　
（２）引用発明の「テープ被覆層３」は、「光ファイバ単心線２全体の外周囲上に」「１μｍないし１５μｍ程度の厚みにわたって形成されている」から、本願発明の「光ファイバテープ心線」と引用発明の「光ファイバテープ１」は、「該光ファイバテープ心線の横断面における相対する２つの長辺側に位置する一括被覆層の最小厚さが、３μｍ〜１５μｍの範囲内」である点で一致する。
　
（３）引用発明の「テープ被覆層３」は、「紫外線硬化樹脂製」であるから、本願発明の「一括被覆層」と同様に「テープ用紫外線硬化型樹脂」からなるものといえる。
　
（４）引用発明の「光ファイバ単心線２」は、「最外被覆層２ａが紫外線硬化樹脂からなる」から、「その最外層に紫外線硬化型被覆層を有して」いる点で、本願発明の「光ファイバ心線」と一致する。
　
（５）引用発明は、「４００番ないし８００番程度のサンドペーパーを用いて、紫外線硬化樹脂製のテープ被覆層３を予め所要範囲にわたって削り取った後に、テープ被覆層３を人手でもって引き裂くことによって光ファイバ単心線２を分離する」ものであるところ、引用発明の「４００番ないし８００番程度のサンドペーパー」は、「粒度がＪＩＳ　Ｒ６００１に規定する♯４００から♯８００の範囲内である紙やすり」のことであるから、本願発明と引用発明は、「光ファイバテープ心線に粒度がＪＩＳ　Ｒ６００１に規定する♯３２０から♯８００の範囲内である紙やすりを押圧し、前記光ファイバテープ心線を前記紙やすりに対して相対移動させる光ファイバテープ心線の単心分離方法」の点で一致するといえる。
　
（６）以上によれば、本願発明と引用発明は、
「並列に配置された複数の光ファイバ心線の外周を一括被覆した一括被覆層を有する光ファイバテープ心線の単心分離方法であって、
　該光ファイバテープ心線の横断面における相対する２つの長辺側に位置する一括被覆層の最小厚さが、３μｍ〜１５μｍの範囲内であり、
　前記一括被覆層はテープ用紫外線硬化型樹脂からなり、
　前記光ファイバ心線は、その最外層に紫外線硬化型被覆層を有している
　光ファイバテープ心線を、
　前記光ファイバテープ心線に粒度がＪＩＳ　Ｒ６００１に規定する♯３２０から♯８００の範囲内である紙やすりを押圧し、前記光ファイバテープ心線を前記紙やすりに対して相対移動させる光ファイバテープ心線の単心分離方法」である点で一致し、以下の点で相違する。
　
　ア　本願発明の「光ファイバテープ心線」は、「スロット型光ファイバケーブル用」とされているのに対し、引用発明の「光ファイバテープ１」が「スロット型光ファイバケーブル用」であるか不明である点（以下「相違点１」という。）。
　
　イ　本願発明の「光ファイバテープ心線」は、「前記光ファイバ心線の外外径をｄ、両端の光ファイバ心線のそれぞれの側面を垂直に通過する直線で横切る前記一括被覆層の厚さをt sideとするとき、t side≧ｄ×２／３であり」とされるものであるのに対し、引用発明の「光ファイバテープ１」がこのようなものであるか不明である点（以下「相違点２」という。）。
　
　ウ　本願発明では、「（一括被覆層の）テープ用紫外線硬化型樹脂の引張破断強度が１０ＭＰａ〜９０ＭＰａの範囲内」であるのに対し、引用発明の「テープ被覆層３」の「紫外線硬化樹脂」の引張破断強度がこのような範囲のものか不明である点（以下「相違点３」という。）。
　
　エ　本願発明は、光ファイバ心線の紫外線硬化型被覆層が着色被覆層であるのに対し、引用発明において、光ファイバ単心線２の最外被覆層２ａが着色被覆層であるか不明である点（以下「相違点４」という。）。
　
　オ　本願発明は、「前記光ファイバテープ心線の長さ約１０ｍｍの両端を把持して回転させたときに、前記紫外線硬化型着色被覆層と前記一括被覆層との間に剥離が発生する回転角が９０°以上３６０°未満である」のに対し、引用発明の光ファイバテープ１がこのようなものであるか不明である点（以下「相違点５」という。）。
　
　カ　本願発明は、光ファイバテープ心線の幅広の面の両方に荷重０．１〜２Ｎ／ｍｍ２で紙やすりを押圧し、前記光ファイバテープ心線を０．１〜５ｃｍ／ｓｅｃの速度で前記紙やすりに対して相対移動させるのに対し、引用発明がこのようなものであるか不明である点（以下「相違点６」という。）。
　　　　
５　判断
（１）相違点１について
　例えば、前記２（２）の刊行物２の記載にみられるとおり、引用発明の「光ファイバテープ１」のようなテープ型光ファイバ心線は、テープスロット型の光ファイバケーブルの溝に収納されて使用されることは、本願の優先日当時において周知であるから、引用発明における「光ファイバテープ１」を「スロット型光ファイバケーブル用」として上記相違点１に係る本願発明の特定事項とすることは当業者が適宜なし得る程度のことである。
　
（２）相違点２について
　引用発明における「光ファイバテープ１」の「テープ被覆層３」の厚さをどのようなものとするかは、当業者が設計上適宜設定すべき事項というべきところ、引用発明の「光ファイバテープ１」において、両端の光ファイバ単心線２は、幅方向の外力に対して弱く、幅方向の側圧力によってテープ型光ユニットの伝送損失が増加し易いこと、また、これに対処するには一括被覆層の幅方向の厚さを大きくすればよいことは当業者において明らかである（例えば、平成２２年３月８日付け拒絶理由通知書に引用した特開昭６２−１６５６１２号公報の「〔発明が解決しようとする問題点〕
　第７図に示すような従来の構造のテープ型光ユニットは、５の厚み方向の外力（Ｆ１）に対しては、厚み方向の外力（Ｆ１）５を各ＵＶ素線１２が分担するので、ＵＶ素線１２単体に比較して強いと考えることができるが、
６の幅方向の外力（Ｆ
２
）に対しては、幅方向の外力（Ｆ
２
）６が直接両端のＵＶ素線１２に加わるため、厚み方向の外力（Ｆ
ｌ
）５に比べると非常に弱く、テープ型光ケーブル製造時に加わる幅方向の側圧力によってテープ型光ユニットの伝送損失が増加し易いという欠点があった
〔問題点を解決するための手段〕
　本発明は従来の欠点を解消し、問題点を解決して、幅方向の外力に対しても良好な側圧特性を有するテープ型光ユニットを提供するため、ガラスファイバに紫外線硬化型樹脂を２層被覆した直径Ｄの光ファイバ素線をｎ本一列に配列し、外周に紫外線硬化型樹脂による一括被覆層を施したテープ型光ユニットにおいて、
一括被覆層は、直径Ｄの光ファイバ素線をｎ本一列に配列した光ファイバ素線列の幅ｎ×Ｄの寸法に対し幅方向に１．５Ｄ以上、また厚さＤの寸法に対し厚み方向にＤ／２以上の大きさの寸法を有する
　したがって、引用発明における「光ファイバテープ１」にあっても、「テープ被覆層３」の幅方向の厚さを厚くすることは、当業者が必要に応じて適宜なし得る程度のことであり、その際、上記相違点２に係る本願発明の特定事項の要件を満たすものとすることに困難性は認められない。
　
（３）相違点３について
　引用発明の「テープ被覆層３」の「紫外線硬化樹脂」の強度をどの程度とするかは、当業者が設計上適宜設定すべき事項というべきところ、前記２（４）のとおり、刊行物４に、単心分離可能な光ファイバテープ心線における一括被覆層の破断強度が０．２ｋｇ／ｍｍ２ 以上２．５ｋｇ／ｍｍ２ 、すなわち、約２ＭＰａ〜約２５ＭＰａであることが記載されていることに照らせば、引用発明の「テープ被覆層３」の「紫外線硬化樹脂」の引張破断強度を相違点３に係る本願発明の特定事項の要件を満たすものとすることに困難性は認められない。
　
（４）相違点４について
　例えば、前記２（３）の刊行物３の「上記光ファイバ素線２は、光ファイバ裸線４の外周表面に一次被覆層５を形成し、さらにこれの外周表面に着色紫外線硬化型樹脂からなる二次被覆層６を形成してなるものである。」（【０００３】）との記載にみられるとおり、光ファイバ裸線の最外層を着色紫外線硬化型樹脂で形成することは、本願の優先日当時において周知であるから、引用発明の「光ファイバ単心線２」の「（紫外線硬化樹脂からなる）最外被覆層２ａ」を着色被覆層として、相違点４に係る本願発明の発明特定事項とすることは当業者が適宜なし得る程度のことである。
　
（５）相違点５について
　引用発明の「光ファイバテープ１」における「（光ファイバ単心線２の）最外被覆層２ａ」と「テープ被覆層３」との剥離性をどの程度とするかは、当業者が設計上適宜設定すべき事項というべきところ、前記２（４）のとおり、刊行物４に、テープ心線の分割に関し、ピッチが３０ｍｍの捻回や、５０ｍｍの捻回、すなわち、テープ心線の長さ１０ｍｍについていえば、回転角が１２０°の捻回や７２°の捻回を行うことが記載されていることに照らせば、引用発明の「光ファイバテープ１」における「（光ファイバ単心線２の）最外被覆層２ａ」と「テープ被覆層３」との剥離性に関し、相違点５に係る本願発明の特定事項特定事項の要件を満たすものとすることに困難性は認められない。
　
（６）相違点６について
　引用発明は、テープ被覆層３を人手でもって引き裂くことによって光ファイバ単心線２を分離するものであるから、サンドペーパーを用いて紫外線硬化樹脂製のテープ被覆層３を予め所要範囲にわたって削り取ることについても、人手でもって行うことが想定され、その態様としては、例えば、左手で引用発明の「光ファイバテープ１」を持ち、右手の指で該「光ファイバテープ１」をサンドペーパーで挟んで持ち、これらを相対移動させることが想定されるところである。
　すなわち、サンドペーパーは、引用発明の「光ファイバテープ１」の幅広の面の両方に押圧されることになるものと考えられ、その際の押圧力ないし相対移動速度は適宜のものというべきところ、引用発明におけるサンドペーパーを用いた作業について、相違点６に係る本願発明の特定事項の要件を満たすものとすることに困難性は認められない。
　
（７）本願発明の効果について
　相違点２、３、５及び６の本願発明の特定事項の意義についてみるに、設計上適宜の範囲を特定した以上の意義を生じるものとは認められず、本願発明の奏する効果全体についてみても、設計的事項の域を超える格別顕著なものとは認められない。
　
６　むすび
　以上のとおりであるから、本願発明は、当業者が引用発明及び刊行物２ないし４に記載された技術事項に基づいて容易に発明できたものと認められ、特許法第２９条第２項の規定により特許を受けることができない。
　よって、結論のとおり審決する。